(57)【要約】      （修正有）【課題】ミトン手袋に対して使い捨てカイロ５を良好な状態で収容できるとともに使い捨てカイロの出し入れが簡単に行えるようにしたミトン手袋の提供。【解決手段】外袋２と内袋３からなる二重袋を有したミトン手袋において、外袋２と内袋３との間に扁平状の使い捨てカイロ５を収容し得るカイロ収容部を設けている一方、外袋２に、使い捨てカイロ５をカイロ収容部内に出し入れするための開口部２４と、該開口部２４を開閉する開閉手段４とを設けている。【選択図】図３
0003116713.tif 000002
【実用新案登録請求の範囲】
【請求項１】
外袋（２）と内袋（３）からなる二重袋を有したミトン手袋であって、
前記外袋（２）と前記内袋（３）との間に扁平状の使い捨てカイロ（５）を収容し得るカイロ収容部を設けている一方、
前記外袋（２）に、前記使い捨てカイロ（５）を前記カイロ収容部内に出し入れするための開口部（２４，２５）と、該開口部（２４，２５）を開閉する開閉手段（４）とを設けている、
ことを特徴とするミトン手袋。
【考案の詳細な説明】
【技術分野】
【０００１】
本願考案は、屋外で防寒用に使用するミトン手袋に関するものである。
【背景技術】
【０００２】
この種の防寒用のミトン手袋は、寒い日の屋外作業時、通勤・通学時（特に自転車乗車時）、冬期のスポーツ（スキーやスノーボード等）時又はその観戦時、オートバイ乗車時、登山時、アウトドアやレジャー時、冬のゴルフ時（コース移動時や観戦時）、等に使用されている。
【０００３】
他方、近年、身体を局部的に暖めることができる使い捨てカイロが普及しており、冬期の屋外において使い捨てカイロを身体の任意の場所にあてがって暖をとっている。尚、使い捨てカイロは、空気と接触して発熱する発熱組成物を扁平状袋内に収納したものであり、使用時に１０時間程度に亘って発熱が継続するものが多い。
【考案の開示】
【考案が解決しようとする課題】
【０００４】
ところで、防寒用のミトン手袋は、上記のように寒い日の屋外において色々な用途に使用されているが、厳寒期の屋外では、厚手の手袋を装着していても十分な防寒ができないことがあり、特に指部分が暖まりにくい。
【０００５】
他方、上記のように簡易に暖をとれる使い捨てカイロが普及しており、この使い捨てカイロを手袋内部（手が差し込まれる部分）に収納して手の暖房を行うことが考えられる。ところが、手袋内部に使い捨てカイロを収納する（手袋内面に貼着する）と、そのカイロ入り手袋を手に装着したときに、使い捨てカイロが直接手に接触するため、低温やけどの懸念が生じるとともに装着感が極めて悪くなり、使用に耐え得るものではない。尚、使い捨てカイロを手袋の外面に貼付けた場合には、使い捨てカイロの発熱が外気中に逃げるので、暖房用として機能しない。
【０００６】
そこで、本願考案は、ミトン手袋において、使い捨てカイロを良好な状態で且つ簡単に出し入れし得るようにすることを目的としてなされたものである。
【課題を解決するための手段】
【０００７】
本願考案は、上記課題を解決するための手段として、次の構成を有している。尚、本願考案は、防寒用として使用されるミトン手袋を対象にしている。
【０００８】
そして、本願考案のミトン手袋は、外袋と内袋からなる二重袋を有し、外袋と内袋との間に扁平状の使い捨てカイロを収容し得るカイロ収容部を設けている一方、外袋に使い捨てカイロをカイロ収容部内に出し入れするための開口部と、該開口部を簡単に開閉することができる開閉手段とを設けて構成されている。
【０００９】
このミトン手袋に使用される使い捨てカイロの大きさ（サイズ）は、特に限定するものではないが１３５×１００mm乃至９５×７０mm程度のものが適当である。この使い捨てカイロには、片面に多数の針孔を形成した通気部を有しており（通気性のある不織布を使用したものもある）、他面に剥離紙付きの粘着剤を塗布している。又、本願考案のミトン手袋に使用する使い捨てカイロとして、その長径方向を上下２段又は３段に分包したものを使用できる。尚、この種の使い捨てカイロは、使用前には通気性のない収納袋内に収納されており（発熱しない）、一旦使用後でも通気性のない収納袋内に収納することで、不要な発熱を抑えることができるようになっている。
【００１０】
本願考案のミトン手袋には、手のひら部分と人差し指から小指までの４指をまとめて被覆する本体袋部（指別れしていない）と、親指のみを被覆する親指袋部とが設けられている。このミトン手袋は、外袋と内袋の二重構造を有しているが、内袋には肌触りのよい生地（例えば布生地）が使用される一方、外袋には一般に比較的耐久性のある生地が使用される。又、外袋として、通気性に乏しい生地（例えば天然皮革、合成皮革、その他の通気性の悪い生地）を用いた場合には、外袋と内袋間に収容される使い捨てカイロの収容位置に対応する外袋部分に、多数の小孔（通気部）を形成しておく。
【００１１】
本願考案のミトン手袋では、外袋と内袋の間に扁平状の使い捨てカイロを出し入れ自在に収容し得るようになっているが、該使い捨てカイロを収容する部分は、主として手袋の甲側部分である。尚、このミトン手袋を装着した状態で物品を握る必要がない場合には、使い捨てカイロを手袋の掌側（外袋平側材と内袋平側材間）のみに収容したり、あるいは該使い捨てカイロを手袋の両側（外袋甲側材と内袋甲側材間、及び外袋平側材と内袋平側材間）に同時に収容することができる。
【００１２】
外袋に設けたカイロ出し入れ用の開口部は、少なくとも手袋甲側の外袋と内袋間に使い捨てカイロを出し入れし得る大きさを有しているが、その開口部の形態としては、外袋における甲側材と平側材の小指側境界部分にかなりの長さ範囲に亘って切り目を入れたものや、外袋の甲側材に使い捨てカイロを出し入れし得る大面積の切欠窓を設けたもの等が採用できる。尚、この開口部は、使い捨てカイロを本体袋部における指部と手のひら部に跨がる位置に配置し得るように形成するとよい。
【００１３】
又、上記開口部を開閉する開閉手段としては、開口部が上記切り目の場合は該切り目をジッパーで開閉可能としてものを採用でき、開口部が上記切欠窓の場合は該切欠窓を被覆する蓋片（一辺が外袋表面に縫着されている）を例えば面ファスナー等で開閉し得るようにしたものを採用できる。
【００１４】
本願考案のミトン手袋は、寒い日に使い捨てカイロを入れて使用するには、開閉手段を開操作して開口部を開放し、その開口部から使い捨てカイロを外袋と内袋間のカイロ収容部に収容した後、開閉手段を閉操作して開口部を閉塞する。尚、使い捨てカイロは、その粘着剤塗布部を内袋に貼着することで、定位置に固定できる。
【００１５】
そして、外袋と内袋間に使い捨てカイロを収容した状態では、該カイロの外面側に外袋生地（通気部）を介して空気が接触するので、該カイロの発熱組成物が発熱して手袋内部を暖房できる。又、このミトン手袋では、本体袋部が人差し指から小指までの４指をまとめて被覆するように連続している（指別れしていない）ので、使い捨てカイロを本体袋部の手のひら部分と４指対応部分に跨がって配置することができる。
【００１６】
ミトン手袋から使い捨てカイロを取り出すには、開閉手段を開操作し、開口部から外袋と内袋間にある使い捨てカイロを取り出せばよい。尚、使い捨てカイロに発熱の余力が残っている場合には、ミトン手袋から取り出した後、その使い捨てカイロを通気性のない収納袋内に密封する（空気と遮断する）ことで、発熱組成物の未発熱部分の発熱を止めることができる（再使用できる）。
【考案の効果】
【００１７】
本願考案のミトン手袋は、次のような効果がある。
【００１８】
(1) 上記のように使い捨てカイロを外袋と内袋間のカイロ収容部に出し入れ自在に収容できるので、寒い日に使い捨てカイロで手袋内部を暖房できる。そのとき、ミトン手袋であれば、本体袋部における人差し指から小指までの４指が対応する部分にも使い捨てカイロを配置することができるので、特に冷たさを感じ易い指部分も使い捨てカイロの発熱で暖房できる。
【００１９】
(2) 使い捨てカイロを外袋と内袋の間に収容できるので、該使い捨てカイロが直接手に接触することがなく、カイロ入りの手袋であっても装着感が悪くならない。
【００２０】
(3) 使い捨てカイロを外袋と内袋の間に収容できるので、使い捨てカイロの収容状態が安定する。
【００２１】
(4) 開閉手段により開口部を開閉することで、使い捨てカイロを外袋と内袋間に出し入れできるので、該使い捨てカイロの出し入れ操作が簡単に行える。
【実施例】
【００２２】
図１〜図３には本願第１実施例のミトン手袋１が示され、図４〜図５には本願第２実施例のミトン手袋１が示されている。
【００２３】
図１〜図３の第１実施例
この第１実施例のミトン手袋１は、外袋２と内袋３からなる二重袋を有している。又、このミトン手袋１では、手のひら部分と人差し指から小指までの４指部分をまとめて被覆し得る本体袋部１１と、親指のみを被覆する親指袋部１２とを有している。親指袋部１２は、本体袋部１１の生地と一体に連続する状態で形成したものでもよく、あるいは本体袋部１１とは別体の生地で形成したものを本体袋部１１に縫着させたものでもよい。尚、符号１３は、このミトン手袋１の手挿入口、１４は手挿入口１３付近を引き締めるための引き締めゴムである。
【００２４】
内袋３には、肌触りのよい生地（例えば布生地）が使用されている。他方、外袋２には、一般に耐久性のある生地が使用されるが、外袋２として通気性に乏しい生地（例えば天然皮革、合成皮革、その他の通気性の悪い生地）を用いた場合には、後述するように使い捨てカイロ５に対応する位置に通気用の多数の小孔２３，２３・・（図１参照）を形成しておく。
【００２５】
このミトン手袋１には、外袋２と内袋３との間に扁平状の使い捨てカイロ５を収容し得るカイロ収容部を設けている。又、外袋２には、使い捨てカイロ５をカイロ収容部内に出し入れするための開口部２４と、該開口部２４を開閉する開閉手段４とを設けている。
【００２６】
本願の各実施例で使用される使い捨てカイロ５は、扁平状袋内に空気と接触して発熱する発熱組成物を収容したものである。この使い捨てカイロ５の大きさ（サイズ）は、特に限定するものではないが１３５×１００mm乃至９５×７０mm程度のものが適当である。この使い捨てカイロ５には、片面に針孔等の通気部を有し（針孔にかえて生地に不織布を使用したものもある）、他面に剥離紙付きの粘着剤が塗布されている。又、この使い捨てカイロ５には、その長径方向を上下３段に分包したもの（例えばミシン目５１，５２で区画したもの）を使用している。この各ミシン目５１，５２部分は、図２に示すように厚さが薄くなっていて容易に折り曲げ得るようになっている。そして、後述するように、この使い捨てカイロ５を手袋甲部に装着したときに、先側のミシン目５１部分が４指（人差し指から小指までの４指）の第２関節部分に位置し、もう１つのミシン目５２部分が４指の付け根の関節部分に位置するようになっており、このミトン手袋１を手に装着して４指を曲げたときに、使い捨てカイロ５がさほど抵抗にならないようにしている。従って、この実施例のように、使い捨てカイロ５として上下３段に分包したものを使用すると、使い捨てカイロ入りの手袋であっても４指が曲げ易くなる。尚、この実施例では、使い捨てカイロ５として、上記のように上下３段に分包したものを使用しているが、他の実施例では分包していない単一包装の使い捨てカイロを使用することもできる。その場合、４指が若干曲げにくくなるものの、暖房効果には変わりがない。
【００２７】
使い捨てカイロ５は、使用前には通気性のない収納袋内に収納されており（発熱しない）、一旦使用した後でも、図２に鎖線図示するように使い捨てカイロ５′を通気性のない密封袋６内に収納することで、以降の発熱を中断させることができるようになっている。尚、図２に鎖線図示する密封袋６は、カイロ５の使用前に収納されている収納袋とは別のもので、該密封袋６の開口部には密封用の嵌合ファスナー７が設けられていて、使用を中断した使い捨てカイロを密封袋６内に収納した後、該嵌合ファスナー７を閉じることで、該使い捨てカイロ５′の発熱を停止させることができる。
【００２８】
この第１実施例のミトン手袋１では、カイロ出し入れ用の開口部２４として、本体袋部１１の甲側材２１と平側材２２との小指側境界部における図１の符号Ｌの範囲に切り目を入れて形成している。この開口部２４の範囲（符号Ｌの範囲）は、本体袋部１１における小指側の基部寄り位置（符号Ａの位置）から先端部を若干越える位置（符号Ｂの位置）までのかなり長い範囲である。
【００２９】
又、この第１実施例のミトン手袋１では、図１において内袋３の外周における上記符号Ｌの範囲（開口部２４の範囲）を除く符号Ｍ及び符号Ｎの各範囲がそれぞれ外袋２に縫合されている。従って、内袋３の外周は、上記開口部２４の範囲（符号Ｌの範囲）で外袋２に固定されていないものの、符号Ｍ及び符号Ｎの各範囲で外袋２に固定されているので、内袋３が外袋２に対して位置ずれしたり変形したりすることがない。
【００３０】
この第１実施例のミトン手袋１では、開口部２４を開閉する開閉手段４としてジッパー４１が採用されている。このジッパー４１は、図１において、ツマミ４２が実線図示位置（開口部２４の下端側端部Ａ）にあるときに閉状態であり、該ツマミを符号２４′で示す鎖線図示位置（開口部２４の上端側端部Ｂ）まで移動させると開口部２４を全開させることができるようになっている。ジッパー４１を全開位置Ｂまで開操作した状態では、図３に示すように外袋甲側材２１における開口部２４が対応する部分（符号２１ａの部分）を外側に捲ることができる。尚、図２における符号２１ａ′で示す鎖線図示部分は、図３における外袋甲側材２１の一部２１ａを外側に捲った状態を示すものである。又、この第１実施例のミトン手袋１では、外袋２の平側材２２における開口部２４に対応する部分（符号２２ａ部分）も、図２に鎖線図示（符号２２ａ′）するように外側に捲ることができるようになっており、必要に応じて使い捨てカイロ５をミトン手袋１の平側にも装着することができる。
【００３１】
この第１実施例のミトン手袋１は、次のようにして使用される。尚、使い捨てカイロ５は、販売時には通気性のない包装袋内に密封収納した状態で保管されており、この保管状態ではカイロの発熱組成物が空気（外気）と接触しないので、発熱が起こらない。そして、使い捨てカイロ５が必要なときに、該カイロ５を包装袋から取り出せば、該カイロの発熱組成物に空気（外気）が接触して発熱が始まる。尚、この使い捨てカイロ５は、空気が接触し続けると１０時間程度発熱が継続するが、途中で空気を遮断する（別に用意した図２の密封袋６内に再収納する）と発熱が中断する性質がある。
【００３２】
このミトン手袋１に使い捨てカイロ５を収容させるには、図３の状態（外袋甲側材２１の開口部対応部分２１ａを捲った状態）で、外袋甲側材２１と内袋甲側材３１との間の所定位置に使い捨てカイロ５を差し入れて、該カイロ５の粘着剤塗布面を内袋甲側材３１の外面（図３では上面）に貼着させればよい。このとき、ミトン手袋１では本体袋部１１が人差し指から小指までの４指をまとめて被覆するように連続している（指別れしていない）ので、使い捨てカイロ５を本体袋部１１の手のひら部分と４指対応部分に跨がって配置することができる。そして、使い捨てカイロ５を外袋甲側材２１と内袋甲側材３１間の所定位置に収容した後、ジッパー４１のツマミ４２を閉位置Ａまで移動させることで開口部２４を閉塞でき、図１及び図２に示すカイロ装着状態となる。
【００３３】
このカイロ装着状態では、使い捨てカイロ５に外袋甲側材２１の小孔２３，２３・・を介して空気が接触しているので、該使い捨てカイロ５が発熱を継続しており、その熱で手袋内部を暖房するようになる。そのとき、使い捨てカイロ５が４指（人差し指から小指まで）に対応する位置にも跨がっているので、通常暖まりにくい指部分も暖房できるようになる。
【００３４】
又、ミトン手袋１から使い捨てカイロ５を取り出すには、ジッパー４１を開操作し、開口部２４から内部の使い捨てカイロ５を取り出せばよい。そのとき、使い捨てカイロ５に発熱の余力が残っている場合には、ミトン手袋から取り出した後、図２に鎖線図示するようにそのカイロ５′を通気性のない密封袋６内に密封しておくと、発熱組成物の未発熱部分の発熱を止めることができる。従って、この使い捨てカイロ５を再使用できる。又、ミトン手袋１を脱いだ（手から外した）状態で、使い捨てカイロ５入りのミトン手袋１をそのまま密封袋内に空気を抜いた状態で収容した場合も、使い捨てカイロ５の発熱組成物の発熱を緩和させることができる。
【００３５】
図４〜図５の第２実施例
この第２実施例のミトン手袋１では、使い捨てカイロ５を出し入れするための開口部として外袋２の甲側材２１に大面積の切欠窓２５を形成する一方、該切欠窓（開口部）２５を開閉するための蓋片４５を設けているとともに、蓋片４５を開閉手段４となる面ファスナー４６，４７，４７で外袋甲側材２１に対して接離自在に接着させ得るように構成している。尚、この第２実施例では、蓋片４５は外袋２の甲側材２１の一部を構成するものである。
【００３６】
外袋甲側材２１に設けた切欠窓（開口部）２５は、使い捨てカイロ５の外形よりやや大きい開口面積（幅Ｗ×高さＨ）を有している。
【００３７】
蓋片４５は、切欠窓２５よりやや大きい面積を有している。又、この蓋片４５には、その大面積部分に通気用の多数の小孔２３，２３・・が形成されている。そして、この蓋片４５は、その基端部側の一辺を外袋甲側材２１における切欠窓２５の下縁部（手挿入口１３側の縁部）にミシン縫い（ミシン目４８）して取付けている。蓋片４５の外周部分は、外袋甲側材２１における切欠窓２５の周囲に面ファスナー（先部面ファスナー４６と左右の各側部面ファスナー４７，４７）で接離自在に接着させている。
【００３８】
尚、この第２実施例のミトン手袋１のその他の構成は、上記第１実施例のものと同様であるので、該第１実施例の説明を援用する。
【００３９】
この第２実施例のミトン手袋１では、蓋片４５は各面ファスナー４６，４７，４７を剥離させると図５に鎖線図示（符号４５′）するように開くことができ、切欠窓（開口部）２５を開放させることができる。そして、その開放された切欠窓２５から内袋甲側材３１の外面に使い捨てカイロ５を貼着させ、続いて切欠窓２５を蓋片４５で閉塞する（各面ファスナー４６，４７，４７を接着させる）ことで、使い捨てカイロ５を手袋甲側における外袋２（蓋片４５）と内袋３との間に収容できる。この使い捨てカイロ５の収容状態では、上記第１実施例の場合と同様に、該使い捨てカイロ５で手袋内部を暖房できる。
【００４０】
又、手袋内部の使い捨てカイロ５を取り出すには、蓋片４５を開くと（図５の鎖線図示状態）、使い捨てカイロ５が切欠窓２５から露出し、その状態で該カイロ５を内袋甲側材３１から剥離させればよい。
【００４１】
このように、第２実施例のミトン手袋１でも、上記第１実施例のミトン手袋と同様の機能を有し、使い勝手の良いミトン手袋となる。
【図面の簡単な説明】
【００４２】
【図１】本願第１実施例のミトン手袋における使い捨てカイロを収容した状態での平面図である。
【図２】図１のII−II断面図である。
【図３】図１のミトン手袋における開口部開放状態の斜視図である。
【図４】本願第２実施例のミトン手袋における使い捨てカイロを収容した状態での平面図である。
【図５】図４のＶ−Ｖ断面図である。
【符号の説明】
【００４３】
１はミトン手袋、２は外袋、３は内袋、４は開閉手段、５は使い捨てカイロ、１１は本体袋部、１２は親指袋部、２１は外袋の甲側材、２２は外袋の平側材、２３は小孔、２４は開口部（切り目）、２５は開口部（切欠窓）、３１は内袋の甲側材、３２は内袋の平側材、４１はジッパー、４５は蓋片、４６，４７は面ファスナーである。
【図１】
0003116713.tif 000003
【図２】
0003116713.tif 000004
【図３】
0003116713.tif 000005
【図４】
0003116713.tif 000006
【図５】
0003116713.tif 000007